(57)【要約】【課題】視認された画像を可視化することを目的としている。【解決手段】被検者の視認状態を示す情報を取得するための状態取得用画像データと検査用画像データが記憶された記憶部と、前記検査用画像データと、前記状態取得用画像データと、に基づいたレーザ光線を生成するレーザ光源と、前記レーザ光線によって、被検者の眼球の網膜へ、前記検査用画像データが示す検査用画像と前記状態取得用画像データが示す状態取得用画像とを投影するレーザ照射部と、前記被検者による前記検査用画像の視認結果に基づく操作を受け付ける操作入力部と、前記状態取得用画像に対する、前記操作入力部に入力された操作によって取得される前記情報に基づいた画像処理を行って表示用画像データを生成する画像処理部と、前記表示用画像データが示す表示用画像を表示する表示部と、を備える画像生成装置である。【選択図】図１
2019181004.tif 000002
【特許請求の範囲】
【請求項１】
被検者の視認状態を示す情報を取得するための状態取得用画像データと検査用画像データが記憶された記憶部と、
前記検査用画像データと、前記状態取得用画像データと、に基づいたレーザ光線を生成するレーザ光源と、
前記レーザ光線によって、被検者の眼球の網膜へ、前記検査用画像データが示す検査用画像と前記状態取得用画像データが示す状態取得用画像とを投影するレーザ照射部と、
前記被検者による前記検査用画像の視認結果に基づく操作を受け付ける操作入力部と、
前記状態取得用画像に対する、前記操作入力部に入力された操作によって取得される前記情報に基づいた画像処理を行って表示用画像データを生成する画像処理部と、
前記表示用画像データが示す表示用画像を表示する表示部と、
を備える画像生成装置。
【請求項２】
前記状態取得用画像は、
前記網膜上に投影されるマーカ用画像である、請求項１記載の画像生成装置。
【請求項３】
前記操作入力部が、
前記被検者から、前記検査用画像の一部を視認できない領域に特定する操作を受け付けたとき、
前記画像処理部は、
前記検査用画像において、前記マーカ用画像が重畳された領域内の画像を非表示とした画像を前記表示用画像とする、請求項２記載の画像生成装置。
【請求項４】
前記操作入力部が、
前記被検者により、前記検査用画像の歪みを視認した位置又は形状を特定する操作を受け付けたとき、
前記画像処理部は、
前記検査用画像において、前記マーカ用画像が重畳された位置の画像の形状を、前記マーカ用画像が示す形状とした画像を前記表示用画像とする、請求項２記載の画像生成装置。
【請求項５】
前記検査用画像データと、前記被検者を識別する識別情報と、
前記状態取得用画像データから取得された前記被検者の視認状態を示す情報と、を対応付けて前記記憶部に記憶し、
前記画像処理部は、
前記識別情報が入力されると、前記識別情報と対応する前記情報に基づき、前記検査用画像データに対して画像処理を行って、表示用画像を生成する、請求項１乃至４の何れか一項に記載の画像生成装置。
【請求項６】
被検者の視認状態を示す情報を取得するための状態取得用画像データが記憶された記憶部と、
前記状態取得用画像データに基づいたレーザ光線を生成するレーザ光源と、
前記レーザ光線によって、被検者の眼球の網膜へ、前記状態取得用画像データが示す状態取得用画像を、前記網膜上の複数の位置へ順に投影するレーザ照射部と、
前記被検者による前記順に投影された状態取得用画像の視認結果に基づく操作を受け付ける操作入力部と、
前記状態取得用画像に対する前記操作入力部に入力された操作によって取得される前記情報に基づいた画像処理を行って表示用画像データを生成する画像処理部と、
前記表示用画像データが示す表示用画像を表示する表示部と、
を備える画像生成装置。
【請求項７】
前記操作入力部が、
前記被検者から、一部を視認できない前記状態取得用画像を特定する操作を受け付けたとき、
前記画像処理部は、
前記表示用画像において、特定された前記状態取得用画像と対応する領域内の画像を非表示とする、請求項６記載の画像生成装置。
【請求項８】
前記操作入力部が、
前記被検者から、歪みを視認した前記状態取得用画像を特定する操作を受け付けたとき、
前記画像処理部は、
前記表示用画像において、特定された前記状態取得用画像と対応する領域内の画像を歪みのある画像とする、請求項６記載の画像生成装置。
【請求項９】
画像生成装置による画像生成方法であって、前記画像生成装置が、
レーザ光源により、検査用画像データと、記憶部に格納された被検者の視認状態を示す情報を取得するための状態取得用画像データと、に基づいたレーザ光線を生成する手順と、
レーザ照射部により、前記レーザ光線によって、被検者の眼球の網膜へ、前記検査用画像データが示す検査用画像と前記状態取得用画像データが示す状態取得用画像とを投影する手順と、
前記被検者による前記検査用画像の視認結果に基づく操作を受け付ける手順と、
前記状態取得用画像に対する操作によって取得される前記情報に基づいた画像処理を行って、表示用画像データを生成する手順と、
前記表示用画像データが示す表示用画像を表示部に表示する手順と、
を備える画像生成方法。
【請求項１０】
画像生成装置により実行される画像生成プログラムであって、
レーザ光源により、検査用画像データと、記憶部に格納された被検者の視認状態を示す情報を取得するための状態取得用画像データと、に基づいたレーザ光線を生成する処理と、
レーザ照射部により、前記レーザ光線によって、被検者の眼球の網膜へ、前記検査用画像データが示す検査用画像と前記状態取得用画像データが示す状態取得用画像とを投影する処理と、
前記被検者による前記検査用画像の視認結果に基づく操作を受け付ける処理と、
前記状態取得用画像に対する操作によって取得される前記情報に基づいた画像処理を行って、表示用画像データを生成する処理と、
前記表示用画像データが示す表示用画像を表示部に表示する処理と、
を、前記画像生成装置に実行させる画像生成プログラム。
【発明の詳細な説明】
【技術分野】
【０００１】
本発明は、画像生成装置、画像生成方法及び画像生成プログラムに関する。
【背景技術】
【０００２】
従来から、緑内障や黄斑変性等の眼疾患によって、視野の欠損や歪みが生じることが知られている。
【０００３】
また、従来では、実際の見え方に近い網膜像を表示させる技術が知られている。具体的には、例えば、累進屈折力レンズを掛けたときに見える網膜像を、シミュレーションによって表示する技術が開示されている。
【先行技術文献】
【特許文献】
【０００４】
【特許文献１】国際公開第２０１０／０４４３８３号
【発明の概要】
【発明が解決しようとする課題】
【０００５】
上述した従来の技術では、眼鏡によって矯正された見え方をシミュレーションによって表示するものあり、実際の見え方を再現するものではない。また、視野に欠損や歪みがある場合、その見え方は、本人にしか視認することができない。
【０００６】
このため、視野に欠損や歪みが生じている人は、医師や検査技師等の他者に、欠損の範囲や歪みの度合い等の見え方を説明して把握させることが困難であった。
【０００７】
開示の技術は、上述した事情に鑑みて成されたものであり、視認された画像を可視化することを目的としている。
【課題を解決するための手段】
【０００８】
開示の技術は、被検者の視認状態を示す情報を取得するための状態取得用画像データと検査用画像データが記憶された記憶部と、前記検査用画像データと、前記状態取得用画像データと、に基づいたレーザ光線を生成するレーザ光源と、前記レーザ光線によって、被検者の眼球の網膜へ、前記検査用画像データが示す検査用画像と前記状態取得用画像データが示す状態取得用画像とを投影するレーザ照射部と、前記被検者による前記検査用画像の視認結果に基づく操作を受け付ける操作入力部と、前記状態取得用画像に対する、前記操作入力部に入力された操作によって取得される前記情報に基づいた画像処理を行って表示用画像データを生成する画像処理部と、前記表示用画像データが示す表示用画像を表示する表示部と、を備える画像生成装置である。
【発明の効果】
【０００９】
視認された画像を可視化できる。
【図面の簡単な説明】
【００１０】
【図１】本実施形態の画像処理について説明する図である。
【図２】本実施形態における画像生成装置の概要を説明する図である。
【図３】画像生成装置のハードウェア構成を説明する図である。
【図４】画像生成装置のレーザ照射部について説明する図である。
【図５】画像生成装置の投影ミラー近傍を拡大した図である。
【図６】走査ミラーの振動を説明する図である。
【図７】画像生成装置の機能を説明する図である。
【図８】画像生成装置の動作を説明するフローチャートである。
【図９】検査用画像の一例を示す第一の図である。
【図１０】画像処理が行われた画像について説明する第一の図である。
【図１１】画像処理が行われた画像について説明する第二の図である。
【図１２】検査用画像の一例を示す第二の図である。
【図１３】画像処理が行われた画像について説明する第三の図である。
【発明を実施するための形態】
【００１１】
以下に図面を参照して、実施形態について説明する。図１は、本実施形態の画像処理について説明する図である。
【００１２】
本実施形態では、マクスウェル視を利用した網膜走査型の画像生成装置により、検査用画像を視認した被検者の、検査用画像の見え方を可視化する。
【００１３】
本実施形態では、画像生成装置に検査用画像１を示す検査用画像データを入力し、被検者の網膜に検査用画像１を投影させる（ステップＳ１）。
【００１４】
次に、画像生成装置は、被検者による操作を受け付けると（ステップＳ２）、受け付けた操作に応じた画像処理を検査用画像データに対して行う（ステップＳ３）。そして、画像生成装置は、操作に応じた画像処理が行われた画像データによって示される、画像処理後の画像２を表示させる（ステップＳ４）。
【００１５】
ここで、被検者による操作について説明する。
【００１６】
マクスウェル視とは、画像データに基づく画像用光線（レーザ光）を一旦瞳孔の中心で収束させてから網膜上に投影することで、人の水晶体の機能に影響されずに人に画像データが表す画像を視認させる方法である。
【００１７】
人の網膜に直接投影された画像は、網膜の機能が正常であれば、画像データにより表される画像の通りに視認される。しかし、網膜の機能や視神経等に問題がある場合には、網膜に投影された画像は、画像データにより表される画像とは異なる態様で視認される。
【００１８】
例えば、網膜が変形していた場合等には、投影された画像は、網膜の形状と同じように変形した画像として視認される。また、例えば、投影された画像は、網膜の一部の機能が消失していた場合には、その部分が欠損した画像として視認される。
【００１９】
本実施形態では、この点に着目し、検査用画像１を被検者の網膜の形状に合わせた画像２とするように、検査用画像１に対し、被検者の見え方に応じた操作を受けて、検査用画像に対して操作に応じた画像処理を行う。
【００２０】
具体的には、見え方を示す操作とは、例えば、被検者が画像を視認していない領域や、画像に歪みが生じている領域を特定する操作や、画像の歪み方を示すマーク等を配置する操作である。
【００２１】
本実施形態では、この操作に応じて、検査用画像データに対して画像処理を行い、画像処理後の画像２をディスプレイ等に表示させることで、被検者の検査用画像１の見え方（視野）を可視化する。言い換えれば、本実施形態では、検査用画像１が投影された被検者の網膜の形状（歪み）や、被検者の視野の欠損等を含む、被検者が視認している態様を画像化して可視化する。
【００２２】
本実施形態では、このように、被検者によって視認された画像を可視化できるため、例えば、医師や検査技師等の医療従事者に対して、被検者の見え方を把握させることができる。したがって、本実施形態によれば、被検者の見え方に応じた治療や、被検者の見え方に対応した視認の訓練等を効率良く行うことができる。
【００２３】
以下に、本実施形態の画像生成装置について説明する。図２は、本実施形態の画像生成装置の概要を説明する図である。
【００２４】
本実施形態の画像生成装置２００は、例えば、台座２０等に設置され、被検者Ｐが画像生成装置２００の中を覗くように眼球を近づけた状態で、視力検査が行われる。尚、図１の例では、被検者Ｐが椅子に着席して検眼を行う例を示しているが、これに限定されない。被検者Ｐは、起立した状態で検眼を行っても良い。
【００２５】
本実施形態の画像生成装置２００は、マクスウェル視を利用したものである。マクスウェル視とは、画像データに基づく画像用光線を一旦瞳孔の中心で収束させてから網膜上に投影することで、人の水晶体の調節機能に影響されずに人に、画像データが表す画像を視認させる方法である。
【００２６】
本実施形態の画像生成装置２００は、視力検査の際に用いられる検査用画像データと、被検者Ｐの操作に応じて、検査用画像に重畳されるマーカ用画像を示すマーカ用画像データとを保持している。
【００２７】
本実施形態のマーカ用画像は、被検者Ｐの操作によって検査用画像上に投影される画像であり、被検者Ｐの網膜の状態を示す加工情報を取得するための状態取得用画像である。マーカ用画像データは、網膜の状態を示す情報を取得するための状態取得用画像データである。網膜の状態は、検査用画像におけるマーカ用画像の位置や形状によって示される。
【００２８】
本実施形態では、検査用画像におけるマーカ用画像の位置や形状を示す加工情報を取得し、検査用画像データに対し、検査用画像上のマーカ用画像と対応した画像処理を行って、表示用画像（画像２）を示す表示用画像データを生成する。
【００２９】
言い換えれば、画像生成装置２００は、検査用画像とマーカ用画像とから加工情報を取得し、加工情報を参照して、検査用画像データに対して画像処理を行い、被検者Ｐが視認した画像を可視化した表示用画像データを生成する。また、本実施形態の加工情報は、検査用画像を被検者Ｐの視認状態（視認の態様）を画像化するために参照される情報である。
【００３０】
本実施形態の画像生成装置２００は、医療機関等に設置されても良い。また、画像生成装置２００により生成された表示用画像データは、医療機関等に提供されても良い。
【００３１】
また、本実施形態の画像生成装置２００は、医療機関以外にも、例えば、スポーツ施設や、ショッピングセンター、娯楽施設、学校、企業等、あらゆる施設に配置することができる。
【００３２】
次に、図３を参照して、本実施形態の画像生成装置２００のハードウェア構成について説明する。図３は、画像生成装置のハードウェア構成を説明する図である。
【００３３】
本実施形態の画像生成装置２００は、入出力部２１０、制御部２１１、画像入力部２１２、記憶部２１３、レーザ出力制御部（光線出力制御部）２１４、レーザ照射部１００、操作部２１６、表示部２１７を有する。
【００３４】
入出力部２１０は、画像生成装置２００と、外部装置３００に対する情報の出力や、外部装置３００からの情報の入力を行う。言い換えれば、入出力部２１０は、外部装置３００との通信を行うための通信装置である。入出力部２１０が出力する情報とは、例えば、画像生成装置２００により生成された表示用画像データである。また、入出力部２１０に入力される情報とは、例えば、表示用画像データの取得要求等である。
【００３５】
外部装置３００は、ネットワーク等を介して画像生成装置２００と通信を行うことができる装置であり、具体的には、例えば、医療機関に設置された端末装置等であっても良い。外部装置３００は、画像生成装置２００と通信することができる装置であれば、どのような装置であっても良く、例えば、外部装置３００は、被検者Ｐ等が所持しているスマートフォン等の携帯端末であっても良い。
【００３６】
制御部２１１は、例えば、演算処理装置等であり、本実施形態の画像生成装置２００の動作の全体を制御する。
【００３７】
画像入力部２１２は、画像生成装置２００に対して入力される画像データを受け付けるインターフェイスである。画像入力部２１２から入力される画像データは、レーザ照射部１００により、被検者Ｐの網膜に投影される画像の画像データである。具体的には、画像入力部２１２から入力される画像データは、検査用画像データと、マーカ用画像データを含む。
【００３８】
記憶部２１３は、制御部２１１により実行されるプログラムや、演算により取得された各種の値等を格納する。また、記憶部２１３は、検査用画像データ、マーカ用画像データ、表示用画像データを格納する。
【００３９】
レーザ出力制御部２１４は、レーザ照射部１００を制御するための演算処理装置等であっても良く、例えば、記憶部２１３に格納された検査用画像データやマーカ用画像データに基づくレーザ光を、レーザ照射部１００から照射させる。
【００４０】
レーザ照射部１００は、検査用画像データに基づくレーザ光を所定の光量で被検者Ｐの網膜に照射する。すなわち、レーザ照射部１００は被検者Ｐにとっての接眼部であり、このレーザ照射部１００に眼を当てる（レーザ照射部１００を覗き込む）ことによって、被検者Ｐは網膜に投影された検査用画像などを視認し、検査用画像に重畳させるマーカ用画像の操作を行うことができる。レーザ照射部１００の詳細は後述する。
【００４１】
操作部２１６は、画像生成装置２００に対して各種の情報を入力するためのものである。具体的には、例えば、操作部２１６は、画像生成装置２００による検査の開始を指示する情報や、被検者Ｐにより視認された画像を特定する情報等の入力に用いられる入力装置であり、例えば、上下左右方向の矢印が印字されたキーボードや、ジョイスティックなどが好適である。
【００４２】
操作部２１６をこのような構成とすれば、上下左右方向の矢印が印字されたキーボードを押下したり、ジョイスティックを上下左右へ倒すことによって、視認した結果に応じて、検査用画像上におけるマーカ用画像の投影位置を操作することができる。この操作によって、制御部２１１は、マーカ用画像の投影位置を変更させる。また、本実施形態では、例えば、マーカ用画像の投影位置を決定した後に、上方向や下方向の矢印が印字されたキーボードを操作することで、マーカ用画像の大きさや形状を変更させても良い。
【００４３】
本実施形態では、操作部２１６をこのような構成とすることで、被検者Ｐは操作部２１６を見るためにレーザ照射部１００から眼を外さずに、マーカ用画像を操作することができ、効率的にマーカ用画像を操作させることができる。
【００４４】
表示部２１７は、画像生成装置２００から各種の情報を出力するためのものである。具体的には、例えば、表示部２１７は、表示用画像を表示させるためのディスプレイであっても良い。
【００４５】
尚、図３では、入出力部２１０、制御部２１１、記憶部２１３、レーザ出力制御部２１４、レーザ照射部１００、操作部２１６、表示部２１７が画像生成装置２００に設けられるものとしたが、これに限定されない。例えば、入出力部２１０、制御部２１１、記憶部２１３、操作部２１６、表示部２１７等は、画像生成装置２００と接続され、画像生成装置２００を制御する制御用端末等に設けられていても良い。この場合、画像生成装置２００には、少なくとも、記憶部２１３、レーザ出力制御部２１４、レーザ照射部１００が設けられていれば良い。
【００４６】
以下に、図４乃至図６を参照して、画像生成装置２００のレーザ照射部１００について説明する。
【００４７】
図４は、画像生成装置のレーザ照射部について説明する図である。
【００４８】
本実施形態のレーザ照射部１００は、投影部１１０と、横フレーム１５０と、前フレーム１５１と、を有する。投影部１１０は、光源１１１、走査ミラー１１２、反射ミラー１１５及び投影ミラー１１６を有する。
【００４９】
光源１１１は、横フレーム１５０に配置されている。光源１１１は、レーザ出力制御部２１４の指示の下、例えば単一又は複数の波長の光線Ｌを出射する。この光線Ｌは、ユーザの眼球１６０の網膜１６１に画像を投影するための画像用光線である。以下の説明では、光線Ｌを画像用光線と呼ぶ。
【００５０】
光源１１１は、例えば赤色レーザ光（波長：６１０ｎｍ〜６６０ｎｍ程度）、緑色レーザ光（波長：５１５ｎｍ〜５４０ｎｍ程度）、及び青色レーザ光（波長：４４０ｎｍ〜４８０ｎｍ程度）を出射する。赤色、緑色、及び青色レーザ光を出射する。本実施形態の光源１１１は、光源１１１として、例えばＲＧＢ（赤・緑・青）それぞれのレーザダイオードチップと３色合成デバイスとマイクロコリメートレンズと、が集積された光源等により実現される。
【００５１】
尚、図４では、投影ミラー１１６に入射した光線の投影ミラー１１６内の進行方向をＸ方向、投影ミラー１１６におけるＸ方向に直交する方向をＹ方向とする。
【００５２】
走査ミラー１１２は、例えばＭＥＭＳミラーであり、光源１１１から出射されたレーザ光（光線）Ｌを水平方向及び垂直方向の２次元方向に走査する。また、走査ミラー１１２は、光源１１１から出射された光線Ｌを２次元に走査して、ユーザの眼球１６０の網膜１６１に画像を投影させるための投影光とする。
【００５３】
反射ミラー１１５は、走査ミラー１１２で走査された光線Ｌを前フレーム１５１に向かって反射させる。
【００５４】
前フレーム１５１の利用者の眼球１６０側の面には、自由曲面を有する投影ミラー１１６が設けられている。投影ミラー１１６は、走査ミラー１１２で走査され、反射ミラー１１５で反射された光線Ｌを眼球１６０の網膜１６１に照射することにより、網膜１６１に画像を投影する。つまり、利用者は、網膜１６１に投射されたレーザ光の残像効果によって、画像を認識することができる。投影ミラー１１６は、走査ミラー１１２で走査された光線Ｌの収束位置が、眼球１６０の瞳孔１６２となるように設計されている。光線Ｌは投影ミラー１１６にほぼ真横（すなわちほぼ−Ｘ方向）から入射する。
【００５５】
尚、本実施形態では、投影ミラー１１６の自由曲面の曲率を大きくすれば、反射ミラー１１５から瞳孔１６２の収束位置までの距離を短くすることができ、画像生成装置２００を小型にすることができる。
【００５６】
本実施形態のレーザ出力制御部２１４は、ＣＰＵ（CentralProcessing Unit）等のプロセッサ並びにＲＡＭ（Random Access Memory）及びＲＯＭ（Read Only Memory）等により実現される。
【００５７】
プロセッサ及びメモリは、例えば走査ミラー１１２（ＭＥＭＳミラー）が実装された基板と同じ基板に実装されていても良い。
【００５８】
本実施形態のレーザ出力制御部２１４は、入力された画像データに基づく画像用光線を光源１１１から出射させる。また、本実施形態のレーザ出力制御部２１４は、走査ミラー１１２（ＭＥＭＳミラー）を振動させて、光源１１１から出射された画像用光線を走査し、網膜１６１に画像を投影させる。
【００５９】
尚、図４の例では、片眼に対応するレーザ照射部１００について示しているが、画像生成装置２００は、両眼に対応するレーザ照射部１００を有している。これらの２つのレーザ照射部１００は、同様の構成である。
【００６０】
次に、図５及び図６により、画像生成装置２００の投影部１１０による画像の投影について説明する。図５は、画像生成装置の投影ミラー近傍を拡大した図である。
【００６１】
図５及び図６のように、走査ミラー１１２で走査された画像用光線は、ミラー１１５によって、前フレーム１５１に向かって反射される。本実施形態では、投影部１１０が、前フレーム１５１の眼球１６０側の面に配置されているため、走査ミラー１１２で走査された画像用光線は、投射部（投射ミラー）１１６に入射する。
【００６２】
投射部１１６は、画像用光線が入射される領域１１６ａで投射部１１６に入射された画像用光線を、眼球１６０の瞳孔１６２近傍で収束した後に網膜１６１に投射する。ここで投射部１１６は、自由曲面又は自由曲面と回折面の合成構造をしたハーフミラーであっても良い。
【００６３】
よって、被検者は、画像用光線で形成される画像を認識することができる。また、本実施形態では、レーザ照射部１００をこのような構成とすることで、ヘッドマントディスプレイ形のような形状を小さくする必要があるフレームにも容易に設置できるようになる。
【００６４】
図６は、走査ミラーの振動を説明する図である。尚、図６では、走査ミラー１１２が点Ａから点Ｂまで振動した場合を示している。
【００６５】
走査ミラー１１２によって画像用光線を走査して網膜１６１に画像を投影する方法として、画像を投影する領域の左上から右下に向かって光を高速に走査し、画像を表示させる方法（例えばラスタースキャン）がある。
【００６６】
本実施形態では、図６に示すように、走査ミラー１１２は、画像用光線（光線Ｌ）を走査するために、網膜１６１に画像が投影される領域Ｈ（図５の破線範囲）よりも大きく、水平方向（第１方向）と垂直方向（第１方向に交差する第２方向）と、に振動する。図５では、走査ミラー１１２の振動を符号６１で示している。
【００６７】
走査ミラー１１２が大きく振れた箇所で画像用光線を走査して網膜１６１に画像を投影する場合、画像の歪みが大きくなる。したがって、本実施形態では、画像用光線は、走査ミラー１１２の振れが小さい箇所で走査される。
【００６８】
尚、図６では、画像用光線は矩形状に走査される場合を例に示しているが、この場合に限られず、台形状に走査される場合など、その他の場合でもよい。
【００６９】
また、本実施形態では、画像が投影される領域Ｈは、被検者の視野を覆う大きさであることが好ましい。被検者の視野を覆う大きさとは、例えば、網膜に投影された画像が、片目では鼻側および上側で約６０度、下側に約７０度、耳側に約９０〜１００度を覆う大きさである。
【００７０】
本実施形態では、画像（検査用画像）が投影される領域を、被検者の視野を覆う大きさとすれば、視野の欠損や網膜や視神経等に異常がない被検者に対しても、適切な検査用画像を網膜に投影させることができる。
【００７１】
尚、予め視野の一部に欠損があることが分かっている被検者等に対して、または、装置の用途、目的、機能、性能に応じて、画像が投影される領域Ｈは、上述した、「片目では鼻側および上側で約６０度、下側に約７０度、耳側に約９０〜１００度の覆われるような大きさ」よりも小さくても良い。
【００７２】
次に、図７を参照して、本実施形態の画像生成装置２００の有する制御部２１１の機能について説明する。図７は、画像生成装置の機能を説明する図である。
【００７３】
本実施形態の画像生成装置２００の制御部２１１は、記憶部２１３に格納されたプログラムを読み出して実行することで、後述する各部の機能を実現する。
【００７４】
本実施形態の制御部２１１は、画像データ取得部２２１、操作受付部２２２、投影指示部２２３、画像生成部２２４、表示制御部２２５を有する。
【００７５】
本実施形態の記憶部２１３は、検査用画像データ２３１、マーカ用画像データ２３２、表示用画像データ２３３を格納する。
【００７６】
尚、記憶部２１３に予め格納されている画像データは、マーカ用画像データ２３２のみであっても良い。本実施形態では、例えば、画像入力部２１２により入力された画像データを検査用画像データ２３１として用いても良い。
【００７７】
表示用画像データ２３３は、制御部２１１により表示用画像データが生成されたときに、記憶部２１３に格納されても良い。
【００７８】
本実施形態の画像データ取得部２２１は、記憶部２１３に格納されている検査用画像データ２３１やマーカ用画像データ２３２を取得する。検査用画像データ２３１とマーカ用画像データ２３２の詳細は、後述する。
【００７９】
操作受付部２２２は、操作部２１６による操作を受け付ける。具体的には、操作受付部２２２は、検査用画像データ２３１がレーザ照射部１００によって被検者Ｐの網膜に投影されている状態におけるマーカ用画像データ２３２の投影指示や、マーカ用画像データ２３２の投影位置の変更指示等を、操作部２１６から受け付ける。また、本実施形態の操作受付部２２２は、記憶部２１３に格納された表示用画像データ２３３の表示指示を受け付ける。尚、表示用画像データ２３３の表示指示は、外部装置から通知される場合には、入出力部２１０が受け付けてもよい。
【００８０】
投影指示部２２３は、操作受付部２２２が受け付けた操作に応じて、レーザ出力制御部２１４に対し、検査用画像データ２３１やマーカ用画像データ２３２の投影を指示する。
【００８１】
画像生成部２２４は、検査用画像とマーカ用画像とから加工情報を取得し、検査用画像データ２３１に対し、加工情報に基づく画像処理を施し、表示用画像データ２３３を生成する。尚、生成された表示用画像データ２３３は、記憶部２１３に格納される。
【００８２】
具体的には、画像生成部２２４は、被検者Ｐの網膜に投影された検査用画像におけるマーカ用画像の位置を示す情報と、マーカ用画像の形状を示す情報とを含む加工情報を取得する。そして、画像生成部２２４は、検査用画像データ２３１に対して、加工情報に応じた画像処理を施し、画像処理後の表示用画像データ２３３を生成する。加工情報の詳細は後述する。
【００８３】
表示制御部２２５は、記憶部２１３に格納された表示用画像データ２３３を、表示部２１７に表示させる。また、表示制御部２２５は、表示用画像データ２３３の表示要求を受け付けると、表示用画像データ２３３を外部装置に出力し、表示させる。
【００８４】
以下に、図８を参照して、本実施形態の画像生成装置２００の動作について説明する。図８は、画像生成装置の動作を説明するフローチャートである。
【００８５】
本実施形態の画像生成装置２００の制御部２１１は、操作受付部２２２により、表示用画像の表示指示を受け付けたか否かを判定する（ステップＳ８０１）。ステップＳ８０１において、表示用画像の表示指示を受け付けない場合、制御部２１１は、表示用画像データの表示指示を受け付けるまで待機する。
【００８６】
ステップＳ８０１において、表示指示を受け付けた場合、制御部２１１は、画像データ取得部２２１により、記憶部２１３から検査用画像データ２３１とマーカ用画像データ２３２を取得し、投影指示部２２３により、これらの画像データを被検者Ｐの網膜に投影させる（ステップＳ８０２）。
【００８７】
続いて、制御部２１１は、操作受付部２２２により、被検者Ｐの網膜に投影されたマーカ用画像に対する操作を受け付けたか否かを判定する（ステップＳ８０３）。ステップＳ８０３において、該当する操作を受け付けない場合、後述するステップＳ８０５へ進む。
【００８８】
ステップＳ８０３において、該当する操作を受け付けた場合、制御部２１１は、投影指示部２２３により、受け付けた操作に応じてマーカ用画像を被検者Ｐの網膜に投影させる（ステップＳ８０４）。具体的には、例えば、投影指示部２２３は、操作受付部２２２が、マーカ用画像の投影位置を移動させる操作を受け付けた場合には、操作に応じた位置にマーカ用画像を投影させる。
【００８９】
続いて、制御部２１１は、操作受付部２２２により、マーカ用画像に対する操作の終了を示す操作を受け付けたか否かを判定する（ステップＳ８０５）。具体的には、例えば、操作受付部２２２は、マーカ用画像に対する操作の終了を指示する部材に対する操作が行われたか否か、等を判定している。
【００９０】
ステップＳ８０５において、マーカ用画像に対する操作が終了していない場合、制御部２１１は、ステップＳ８０３へ戻る。
【００９１】
ステップＳ８０５において、マーカ用画像に対する操作が終了した場合、制御部２１１は、画像生成部２２４により、検査用画像データに対し、マーカ用画像に対する操作を反映させるための画像処理を行う（ステップＳ８０６）。
【００９２】
言い換えれば、画像生成部２２４は、検査用画像におけるマーカ用画像の位置を示す情報や、マーカ用画像の形状を示す情報を加工情報として取得し、検査用画像を加工情報が示す画像とするように、検査用画像データに画像処理を行い、表示用画像データとする。尚、ここで生成された表示用画像データは、表示用画像データ２３３として、記憶部２１３に格納される。
【００９３】
続いて、制御部２１１は、表示制御部２２５により、生成された表示用画像データを表示部２１７に表示させ（ステップＳ８０７）、処理を終了する。
【００９４】
尚、ステップＳ８０１で受け付ける表示用画像の表示指示は、例えば、被検者Ｐが自身の見え方を示す表示用画像を生成して表示させることを目的として、画像生成装置２００に対して表示指示を行った場合を想定しているが、これに限定されない。
【００９５】
表示用画像の表示指示は、例えば、外部装置３００を介して、被検者Ｐや被検者Ｐ以外の第三者が行っても良いし、画像生成装置２００の操作部２１６によって、被検者Ｐ以外の第三者行っても良い。
【００９６】
また、本実施形態では、表示用画像の表示指示を受け付けると、検査用画像データ２３１とマーカ用画像データ２３２を被検者Ｐの網膜に投影させて、表示用画像データ２３３を生成し、記憶部２１３に格納するものとしたが、これに限定されない。表示用画像データ２３３は、表示用画像の表示指示を受け付ける前に生成されて、記憶部２１３に格納されていても良い。
【００９７】
この場合、ステップＳ８０１では、表示用画像の表示指示の代わりに、表示用画像データの生成指示を受け付ければ良く、ステップＳ８０７では、表示用画像データを表示させる代わりに、記憶部２１３に格納すれば良い。
【００９８】
また、この場合、表示用画像データは、被検者Ｐを識別するための識別情報と対応付けられて、記憶部２１３に格納される。被検者Ｐを識別するための識別情報は、操作部２１６により入力されても良い。そして、画像生成装置２００は、被検者Ｐの識別情報と、表示用画像の表示指示を受け付けると、記憶部２１３から、受け付けた識別情報と対応する表示用画像データを読み出して、表示させれば良い。このとき、画像生成装置２００は、操作部２１６により、表示指示を受け付けた場合には、表示用画像を表示部２１７に表示させれば良く、外部装置３００から入出力部２１０を介して表示指示を受け付けた場合には、表示用画像を外部装置３００へ出力すれば良い。
【００９９】
次に、図９乃至図１３を参照して、検査用画像データ２３１、マーカ用画像データ２３２、表示用画像データ２３３について説明する。
【０１００】
図９は、検査用画像の一例を示す第一の図である。図９では、検査用画像の一例として、検査用画像９１、９２、９３、９４を示す。
【０１０１】
検査用画像データ２３１は、例えば、検査用画像９１〜９４のそれぞれを示す検査用画像データを含む。つまり、検査用画像データ２３１は、複数種類の検査用画像と対応した複数の検査用画像データを含んでいて良い。
【０１０２】
検査用画像９１では、中心部にランドルト環が示されている。また、検査用画像９２には、注視点Ｓと、注視点Ｓを囲うように、円形状に配置された１〜８までの数字の画像とが示されている。
【０１０３】
検査用画像９３は、注視点Ｓと、注視点Ｓを囲うように、円形状に配置された１〜１２までの数字の画像とが示されている。検査用画像９３において、１〜１２の数字の画像の配置により形成された円形は、例えば、検査用画像９２において１〜８の数字の
画像の配置により形成された円形よりも、直径が大きい円形である。
【０１０４】
検査用画像９４は、注視点Ｓと、格子状の線画とが示されたアムスラーチャートを示している。
【０１０５】
尚、検査用画像は、図９に示す例に限定されにない。検査用画像は、図９に示すような、検査用の画像でなくても良く、例えば、一般的な風景の画像等であっても良く、任意の画像であって良い。
【０１０６】
図１０は、画像処理が行われた画像について説明する第一の図である。図１０（Ａ）は、マーカ用画像の一例を示しており、図１０（Ｂ）は、制御部２１１により画像処理が行われた画像（表示用画像）の一例を示している。
【０１０７】
図１０（Ａ）の例では、マーカ用画像Ｍ１は、楕円形の画像である。本実施形態では、例えば、マーカ用画像Ｍ１は、検査用画像において、被検者Ｐが画像を視認できない領域を特定するものとした。被検者Ｐは、検査用画像上にマーカ用画像Ｍ１を配置する操作を行う。このとき、マーカ用画像Ｍ１の大きさを任意に変更する操作が行われても良い。
【０１０８】
この操作を行なうために、操作部２１６には、上下左右へ移動させるジョイスティック、回転操作、拡大を行うロータリーエンコーダ、操作を決定するボタン、等が配置されていると良い。本実施形態では、例えば、図８のＳ８０１で、表示用画像の表示指示を受け付けると、マーカ用画像Ｍ１が視野内の所定の位置に表示される。
【０１０９】
被検者Ｐは、視野内に見えない部位がある場合、注視点Ｓを注視しながら、ジョイスティックを操作してマーカ用画像Ｍ１を移動させて見えない位置に配置し、見えない部位の形状に応じてロータリーエンコーダ等を操作して、楕円の向き、大きさを調整する。
【０１１０】
この操作を受け付けると、画像生成装置２００は、マーカ用画像Ｍ１が特定した領域（座標）、楕円の向き、大きさを加工情報として取得する。そして、画像生成装置２００は、検査用画像から、マーカ用画像Ｍ１で特定された領域の画像を非表示とする（削除する）画像処理を行い、表示用画像とする。
【０１１１】
言い換えれば、画像生成装置２００は、検査用画像データに対して、マーカ用画像データによって特定される領域の画像データを削除する画像処理を行って、表示用画像データを生成する。
【０１１２】
図１０（Ｂ）では、検査用画像９１〜９４のそれぞれと対応する表示用画像９１Ａ〜９４Ａを示している。
【０１１３】
表示用画像９１Ａでは、検査用画像９１と同様の画像であり、検査用画像９１で示されているランドルト環の画像が削除されていない。したがって、被検者Ｐは、検査用画像９１に示されたランドルト環の画像を視認していることがわかる。
【０１１４】
表示用画像９２Ａでは、検査用画像９２において示された数字３，４の画像が削除されている。したがって、表示用画像９２Ａでは、領域Ｒ１がマーカ用画像Ｍ１によって特定された領域であり、被検者Ｐは、領域Ｒ１の画像を視認できていないことがわかる。言い換えれば、被検者Ｐの視野のうち、領域Ｒ１と対応する部分が欠損していることがわかる。
【０１１５】
表示用画像９３Ａでは、検査用画像９３において示された数字５、６の画像が削除されている。したがって、表示用画像９３Ａでは、領域Ｒ２がマーカ用画像Ｍ１によって特定された領域であり、被検者Ｐは、領域Ｒ２の画像を視認できていないことがわかる。言い換えれば、被検者Ｐの視野のうち、領域Ｒ２と対応する部分が欠損していることがわかる。
【０１１６】
表示用画像９４Ａでは、被検者Ｐは、検査用画像９４において、マーカ用画像Ｍ１で特定された領域Ｒ３の画像が視認できていないことがわかる。したがって、表示用画像９４Ａでは、被検者Ｐの視野のうち、領域Ｒ３と対応する部分が欠損していることがわかる。
【０１１７】
尚、本実施形態では、被検者Ｐは、これから投影される検査用画像についての説明を事前に受けているものとする。したがって、被検者Ｐは、例えば、検査用画像９１については、ランドルト環が投影されること、検査用画像９２については、数字１〜８の画像が投影されること、検査用画像９３については、数字１〜１２の画像が投影されること、検査用画像９４では、格子状の画像が投影されることを、事前に把握しているものとする。
【０１１８】
図１１は、画像処理が行われた画像について説明する第二の図である。図１１（Ａ）は、マーカ用画像の一例を示しており、図１１（Ｂ）は、制御部２１１により画像処理が行われた画像（表示用画像）の一例を示している。
【０１１９】
図１１（Ａ）の例では、マーカ用画像Ｍ２は、Ｘ字型の画像であり、マーカ用画像Ｍ３は、直線の画像であり、その長さは、符号−と同程度のものとした。マーカ用画像Ｍ４は、山形の画像とした。
【０１２０】
図１１では、例えば、検査用画像において、画像が歪んでいる箇所をマーカ用画像Ｍ２〜Ｍ４で特定する操作を行う。また、図１１の例では、検査用画像上で、マーカ用画像Ｍ３、Ｍ４を任意の角度に回転させることで、被検者Ｐが視認している画像の形状（歪み）を表現させる。
【０１２１】
この場合も、図１０（Ａ）で説明したものとほぼ同様に、図８のＳ８０１で、表示用画像の表示指示を受け付けた後、マーカ用画像Ｍ２〜Ｍ４を選択すると、そのマーカ用画像が視野内の所定の位置に表示される。被検者Ｐは、視野内に歪みがある部位がある場合、直線の画像であるマーカ用画像Ｍ３を選択して、注視点Ｓを注視しながら、ジョイスティックを操作してマーカ用画像Ｍ３を移動させて検査用画像９４の歪んでいる位置に配置する。そして、被検者Ｐは、検査用画像９４の歪んでいる向きに合わせてロータリーエンコーダ等を操作して、マーカ用画像Ｍ３の向き調整する。
【０１２２】
また、被検者Ｐは、歪みの形状に合わせて、山形の画像のマーカ用画像Ｍ４を選択して、歪みがある位置、向きに同様に配置しても良い。マーカ用画像Ｍ２を選択した場合は、位置に合わせるだけでよい。
【０１２３】
本実施形態の画像生成装置２００は、検査用画像上にマーカ用画像Ｍ２を配置する操作が行われた場合には、検査用画像におけるマーカ用画像Ｍ２の位置を示す情報を加工情報として取得する。そして、画像生成装置２００は、検査用画像において、加工情報が示す位置に、マーカ用画像Ｍ２を重畳される画像処理を行い、表示用画像とする。尚、この場合、検査用画像に重畳される画像は、マーカ用画像Ｍ２とは異なる画像であっても良い。
【０１２４】
また、画像生成装置２００は、検査用画像上にマーカ用画像Ｍ３、Ｍ４を配置する操作が行われた場合には、検査用画像におけるマーカ用画像Ｍ３、Ｍ４の位置を示す情報と、マーカ用画像Ｍ３、Ｍ４の形状（向き、大きさ）を示す情報とを、加工情報として取得する。そして、画像生成装置２００は、検査用画像に対して、加工情報が示す位置にある画像の形状を、加工情報が示す形状として、周囲の画像とつなげるような画像処理を行い、表示用画像とする。
【０１２５】
表示用画像９１Ｂでは、表示用画像９１Ａと同様に、検査用画像９１で示されているランドルト環の画像が削除されていない。したがって、被検者Ｐは、検査用画像９１に示されたランドルト環の画像を視認していることがわかる。
【０１２６】
表示用画像９２Ｂは、検査用画像９２と同様の画像である。したがって、被検者Ｐは、検査用画像９２に示された数字１〜８の画像を視認していることがわかる。
【０１２７】
表示用画像９３Ｂでは、数字１〜１２の画像のうち、数字１０の画像と、数字１１の画像の代わりに、マーカ用画像Ｍ２が表示されている。したがって、被検者Ｐは、検査用画像９２に示された数字１〜１２の画像のうち、数字１０の画像と数字１２の画像を視認していないことがわかる。言い換えれば、表示用画像９３Ｂは、被検者Ｐの網膜には、表示用画像９３における領域Ｒ４と対応する部分に、なんらかの病変があることを示している。
【０１２８】
表示用画像９４Ｂでは、領域Ｒ５において、複数のマーカ用画像Ｍ３、Ｍ４が表示されている。また、表示用画像９４Ｂでは、領域Ｒ５内の格子状の画像は、マーカ用画像Ｍ３、４に合わせた傾斜や曲線とされている。
【０１２９】
したがって、表示用画像９４Ｂでは、被検者Ｐの視野では、領域Ｒ５と対応する部分が、表示用画像９４Ｂが示すように歪んでいることがわかる。言い換えれば、表示用画像９４Ｂは、被検者Ｐの網膜において、領域Ｒ５に対応する部分に何らかの病変があることを示している。
【０１３０】
図１２は、検査用画像の一例を示す第二の図である。図１２の例では、マーカ用画像が検査用画像も兼ねる。また、図１２に示すマーカ用画像（検査用画像）を用いる場合には、図１０、図１１で説明したような、マーカ用画像の移動や回転等の操作を行う必要がない。
【０１３１】
図１２（Ａ）は、マーカ用画像Ｋが、被検者Ｐの網膜における投影領域に投影された状態９５〜９７を示す図である。図１２（Ｂ）は、状態９５〜９７に示すように投影されたマーカ用画像Ｋに対する被検者Ｐの視認の状態を示す図である。尚、図１２（Ａ）、（Ｂ）において、点線で示す領域は、被検者Ｐの網膜において、レーザ照射部１００によるレーザ光の照射により画像を投影することができる投影領域を示す。
【０１３２】
図１２では、状態９５〜９７のそれぞれにおいて、投影領域において、マーカ用画像Ｋを投影する位置を異ならせている。
【０１３３】
状態９５では、投影領域に格子状のマーカ用画像Ｋと注視点Ｓとが投影されており、注視点Ｓの左側の上方付近にマーカ用画像Ｋが配置されている。また、状態９６では、マーカ用画像Ｋが、注視点Ｓの右方側の下方付近に配置されており、状態９７では、マーカ用画像Ｋが、注視点Ｓの左側の中央付近に配置されている。
【０１３４】
本実施形態の画像生成装置２００における実際の動作では、投影領域内において、マーカ用画像Ｋの位置を、左上から左下へ、次に右へ少しずらしてその下へというように、順次ずらして投影し、投影領域内全体に、マーカ用画像Ｋが投影されるようにしても良い。また、マーカ用画像Ｋは、所定の位置間隔で順次投影されても良い。
【０１３５】
図１２（Ｂ）に示す状態９５Ａは、状態９５に示す位置に投影したマーカ用画像Ｋを、被検者Ｐが視認した状態を示している。言い換えれば、状態９５Ａは、状態９５において、被検者Ｐによるマーカ用画像Ｋに対する操作を受け付けたときの状態を示している。
【０１３６】
また、状態９６Ａは、状態９６に示す位置に投影したマーカ用画像Ｋを、被検者Ｐが視認した状態を示している。言い換えれば、状態９６Ａは、状態９６において、被検者Ｐによるマーカ用画像Ｋに対する操作を受け付けたときの状態を示している。
【０１３７】
また、状態９７Ａは、状態９７に示す位置に投影したマーカ用画像Ｋを、被検者Ｐが視認した状態を示している。言い換えれば、状態９７Ａは、状態９７において、マーカ用画像Ｋに対する操作を受け付けたときの状態を示している。
【０１３８】
図１２に示すマーカ用画像に対する操作は、例えば、被検者Ｐの視認の状態として、マーカ用画像Ｋが見えた、見えない、歪んでいる、の３つの状態を特定する操作であれば良い。したがって、本実施形態では、操作部２１６は、３つの状態のうち何れかを特定するための３種のボタンであっても良い。また、本実施形態では、操作部２１６がジョイスティック等の場合には、ジョイスティックの方向で、何れかの状態を特定するようにもできる。
【０１３９】
本実施形態において、表示用画像の表示指示が受け付けられると、例えば、状態９５に示す位置にマーカ用画像Ｋを投影させる。このとき、状態９５Ａより、マーカ用画像Ｋは、被検者Ｐに正しく視認されたことがわかる。つまり、ここでは、被検者Ｐは、視認の状態として「見える」を特定する操作を行ったことがわかる。
【０１４０】
この操作は、具体的には、例えば、「見えた」ボタンを押下する、ジョイスティックを上方向に操作する、等であっても良い。このとき、画像生成装置２００は、状態９５における投影領域におけるマーカ用画像Ｋの位置を示す情報と、マーカ用画像Ｋを正しく視認できたことを示す情報と、を加工情報の一部として記憶部２１３に記録する。そして、画像生成装置２００は、次に、投影領域において、少し下の位置にマーカ用画像Ｋを投影させる。
【０１４１】
また、図１２では、状態９６Ａより、被検者Ｐが、状態９６におけるマーカ用画像Ｋを正しく視認できなかったことがわかる。つまり、ここでは、被検者Ｐは、視認の状態として「見えない」を特定する操作を行ったことがわかる。
【０１４２】
この操作は、具体的には、例えば、「見えない」ボタンを押下する、ジョイスティックを下方向に操作する、等であっても良い。このとき、画像生成装置２００は、状態９６における投影領域におけるマーカ用画像Ｋの位置を示す情報と、マーカ用画像Ｋを正しく視認できなかったことを示す情報と、加工情報の一部として記憶部２１３に記録する。
【０１４３】
また、図１２では、状態９７Ａより、被検者Ｐが、状態９７におけるマーカ用画像Ｋが歪んだ状態で視認したことがわかる。つまり、ここでは、被検者Ｐは、視認の状態として「歪んでいる」を特定する操作を行ったことがわかる。
【０１４４】
この操作は、具体的には、例えば、「歪んでいる」ボタンを押下する、ジョイスティックを左右方向のどちらかに倒す等の操作であっても良い。このとき、画像生成装置２００は、状態９７における投影領域におけるマーカ用画像Ｋの位置を示す情報と、マーカ用画像Ｋが歪んでいることを示す情報と、を加工情報の一部として記憶部２１３に記録する。
【０１４５】
このように、マーカ用画像Ｋと視認結果の入力を順次行うことによって、マーカ用画像Ｋが検査用画像を兼ねるようになる。
【０１４６】
したがって、図１２の例では、検査用画像データとマーカ用画像データを別々に用意する必要がない。また、図１２の例では、検査用画像上でマーカ用画像を移動させて配置したり、向きを変えたりすることなく、視野内の視認状態を検出して、加工情報として取得することができる。
【０１４７】
尚、この場合、必要に応じてその見えない部分や、歪みがある部位に対しては、図１０、図１１で説明した方法を用いて、さらに詳細な加工情報を取得しても良い。
【０１４８】
また、図１２の例では、格子状のマーカ用画像Ｋは、例えば、アムスラーチャートの一部であっても良い。また、アムスラーチャートは、それぞれ異なる位置に配置された子状のマーカ用画像Ｋによって形成されても良い。
【０１４９】
また、図１２の例でも、被検者Ｐは、マーカ用画像Ｋが順次異なる位置に投影されることを事前に把握しているものとした。
【０１５０】
図１３は、画像処理が行われた画像について説明する第三の図である。図１３（Ａ）に示す表示用画像９９Ａは、図１０、図１１に示す方法を組み合わせて生成した表示用画像の例を示す。図１３（Ｂ）に示す表示用画像９９Ｂは、図１２に示す方法で生成した表示用画像の一例を示す。
【０１５１】
始めに、表示用画像９９Ａについて説明する。
【０１５２】
図１０（Ｂ）に示す表示用画像９４Ａと、図１１（Ｂ）に示す表示用画像９４Ｂとから、被検者Ｐは、注視点Ｓの右側の下方に視野の欠損があり、注視点Ｓの左方の中央部分に視界の歪みが存在することがわかっている。
【０１５３】
したがって、表示用画像９９Ａでは、注視点Ｓの右側の下方の領域Ｒ６Ａは、格子状の画像が消去されており、注視点Ｓの左側の領域Ｒ７Ａでは、格子状の画像が歪んでいる。
【０１５４】
このように、本実施形態では、複数の表示用画像を組み合わせて、被検者Ｐがアムスラーチャートを見た場合の見え方を可視化しても良い。このように、異なるマーカ用画像に対する操作に基づき生成さたれ複数の表示用画像を組み合わせることで、被検者Ｐの視認の状態により近い表示用画像を生成することができる。
【０１５５】
尚、本実施形態の画像生成装置２００は、表示用画像９９Ａを生成する際に、検査用画像９４におけるマーカ用画像Ｍ１で特定された領域Ｒ３を特定する座標情報と、マーカ用画像Ｍ３、Ｍ４の位置を示す情報と、マーカ用画像Ｍ３、Ｍ４の形状（湾曲の仕方）を示す情報とを、加工情報として取得する。
【０１５６】
そして、画像生成装置２００は、検査用画像９４を示す画像データと、加工情報とから、表示用画像９９を示す画像データを生成する。言い換えれば、画像生成装置２００は、表示用画像９４Ａ、９４Ｂに配置されたマーカ用画像の位置、大きさ、つながり等から、検査用画像９４を示す画像データに対し、補間処理等の画像処理を行って、表示用画像９９Ａを示す画像データを生成する。
【０１５７】
次に、表示用画像９９Ｂについて説明する。
【０１５８】
図１２の例でも、被検者Ｐは、状態９６においてマーカ用画像Ｋが投影された領域に視野の欠損があり、状態９６においてマーカ用画像Ｋが投影された領域に視界の歪みが存在することがわかっている。
【０１５９】
したがって、表示用画像９９Ｂでは、状態９６においてマーカ用画像Ｋが投影された領域と対応する領域Ｒ６Ｂ内の画像が消去され、状態９７においてマーカ用画像Ｋが投影された領域と対応する領域Ｒ７Ｂ内の画像が歪められている。
【０１６０】
尚、図１２の方法では、被検者Ｐの視界の歪み方に関する情報は取得されない。したがって、この場合には、被検者Ｐが、「歪んでいる」という操作を受け付けたときにマーカ用画像が投影されていた領域内の画像を、予め決められた歪め方に基づき、歪ませても良い。このようにすることで、被検者Ｐの視認の状態を容易に可視化することができる。
【０１６１】
尚、本実施形態の画像生成装置２００では、被検者Ｐの識別情報と、表示用画像を示す画像データを生成する際に取得した加工情報とを対応付けて、記憶部２１３に格納しても良い。また、画像生成装置２００は、被検者Ｐの識別情報と、加工情報とを、記憶部２１３以外の外部の記憶装置に格納しても良い。
【０１６２】
その場合、例えば、制御部２１１は、画像入力部２１２から画像データが入力され、表示用画像の表示指示と共に、被検者Ｐの識別情報の入力を受け付けると、加工情報と、入力された画像データとから、表示用画像を示す画像データを生成し、表示部２１７に表示させても良い。つまり、画像生成装置２００は、被検者Ｐ毎の加工情報を保持していれば、検査用画像データ以外の画像データであっても、新たに入力された画像データを用いた検査をしなくても、入力された画像データに対応した表示用画像データを生成できる。
【０１６３】
また、本実施形態では、例えば、記憶部２１３に格納された表示用画像を示す画像データや加工情報を、入出力部２１０を介して外部装置に出力することで、画像生成装置２００以外の装置でも、被検者Ｐの見え方を可視化した画像を提示することができる。
【０１６４】
以上のように、本実施形態によれば、視認された画像を可視化することができる。したがって、本実施形態によれば、例えば、緑内障や、黄斑変性等の眼疾患によって、視野の欠損や、歪み等が生じている人の見え方を、再現しすることができる。
【０１６５】
このため、本実施形態によれば、視野の欠け方や歪みの程度といった、本人にしか体感できない事柄を、医師等の他人にも把握させることができる。よって、例えば、見え方に応じた治療や、物の見方の訓練等を効率的に行うことができる。
【０１６６】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【符号の説明】
【０１６７】
１００  レーザ照射部
１１０  投影部
１１１  光源
１１２  走査ミラー
１１５  反射ミラー
１１６  投影ミラー
２００  画像生成装置
２１０  入出力部
２１１  制御部
２１２  画像入力部
２１３  記憶部
２１４  レーザ出力制御部
２１６  操作部
２１７  表示部
２２１  画像データ取得部
２２２  操作受付部
２２３  投影指示部
２２４  画像生成部
２２５  表示制御部
【図１】
2019181004.tif 000003
【図２】
2019181004.tif 000004
【図３】
2019181004.tif 000005
【図４】
2019181004.tif 000006
【図５】
2019181004.tif 000007
【図６】
2019181004.tif 000008
【図７】
2019181004.tif 000009
【図８】
2019181004.tif 000010
【図９】
2019181004.tif 000011
【図１０】
2019181004.tif 000012
【図１１】
2019181004.tif 000013
【図１２】
2019181004.tif 000014
【図１３】
2019181004.tif 000015